(57)【要約】【課題】高額な発信装置付電力量計の設置を必要とせず最大需要電力が目標電力になるように電力消費機器を発停あるいは能力制御するものである。【解決手段】電力入力手段４により入力された電力消費機器２の消費電力合計が目標電力入力手段５により入力された目標電力になるように優先度に応じて複数台の電力消費機器を順次発停あるいは能力制御する。これによって、最大需要電力の削減が図れるものである。【選択図】  図１
2005020924.tif 000002
【特許請求の範囲】
【請求項１】
複数台の電力消費機器の所定消費電力を入力する電力入力手段と、目標電力を入力する目標電力入力手段と、前記電力消費機器の制御優先度を入力する優先度入力手段と、前記電力入力手段からの出力を基に消費電力の合計を演算する消費電力演算手段を備えた遠隔操作装置であって、前記目標電力入力手段と前記優先度入力手段と消費電力演算手段の出力をもとに運転時の消費電力の合計が目標電力となるように、前記優先度入力手段で設定された優先度にしたがって前記電力消費機器の発停あるいは能力制御を電力調整手段により行うことを特徴とする遠隔制御装置。
【請求項２】
電力入力手段と、機器毎目標電力入力手段と、優先度入力手段と、これらの出力をもとに電力消費機器毎の消費電力が各々設定された目標電力となるように、前記優先度入力手段で設定された優先度にしたがって該当する電力消費機器の発停あるいは能力制御を行うことを特徴とする遠隔制御装置。
【請求項３】
消費電力の合計が目標電力を超過した場合、前記消費電力の合計と目標電力の差に最も近い電力を消費している機器から優先的に停止することを特徴とする、請求項１記載の遠隔制御装置。
【請求項４】
目標電力入力手段を所定期間毎に変化させたデータを入力できるものとしたことを特徴とする、請求項１〜２のいずれかに記載の遠隔制御装置。
【請求項５】
目標電力入力手段を外気温度に応じて変化させたデータを入力できるものとしたことを特徴とする、請求項１〜２のいずれかに記載の遠隔制御装置。
【請求項６】
目標電力入力手段を目標電力と目標電力に対する安全率を入力できるものとしたことを特徴とする、請求項１〜２のいずれかに記載の遠隔制御装置。
【請求項７】
料金入力手段と、目標料金入力手段と、優先度入力手段と、前記料金入力手段の入力値を基に消費料金の合計を演算する料金演算手段を備えた遠隔制御装置であって、前記優先度入力手段で設定した優先度にしたがって、運転消費料金の合計が目標料金になるように前記電力消費機器の発停あるいは能力制御を行うことを特徴とする遠隔制御装置。
【発明の詳細な説明】
【０００１】
【発明の属する技術分野】
本発明は、機器の遠隔制御装置に関するものである。
【０００２】
【従来の技術】
従来、この種の遠隔制御装置では、例えば図５に記載された遠隔制御装置があった。
【０００３】
図５において、電力量に対する発信装置付電力量計１０９からのパルス信号を信号線１１１を介して入力するパルス信号入力部１０４と、パルス信号から電力を計算する電力算出手段１０５と、この電力算出手段１０５の信号をシリアル信号に変換し中央装置１０１からのシリアル制御信号をパラレル信号に変換するパラレル・シリアル変換手段１０６と、このパラレル・シリアル変換手段１０６からの信号と中央装置１０１からの制御信号を入出力するシリアル信号入出力部１０７と、中央装置１０１からの制御信号をパラレル・シリアル変換手段１０６を介して入力し空調機１１０を制御する制御信号出力部１０８とを備えた複数の端末機１０３を設け端末機１０３は中央装置１０１と伝送線１０２を介して接続され中央装置１０１は端末機１０３からの電力算出手段１０５のシリアル信号を受け電力を集計し空調機１１０の制御命令を出していた（例えば、特許文献１参照）。
【０００４】
【特許文献１】
特開昭６２−２２９５０号公報
【０００５】
【発明が解決しようとする課題】
しかしながら、上記従来の構成では、最大需要電力を削減するために遠隔制御装置により電力算出手段１０５からの電力計測値をもとに目標電力になるように空調機１１０を制御していた。このため高額な発信装置付電力量計１０９が必要であり、発信装置付電力量計１０９から端末機１０３までの信号線１１１とそれに伴う工事が必要となる課題を有していた。
【０００６】
本発明は、上記従来の課題を解決するものであり、複数台の電力消費機器の所定消費電力を入力し運転状態に応じた消費電力を演算することで高額な発信装置付電力量計の設置を必要とせず最大需要電力が目標電力になるように電力消費機器を所定時間毎に順次運転停止する電力調整手段を備えた遠隔制御装置を提供するものである。
【０００７】
【課題を解決するための手段】
上記課題を解決するため、本発明は、電力入力手段により入力された複数台の電力消費機器の消費電力合計を消費電力演算手段により演算し目標電力入力手段により入力された目標電力になるように優先度入力手段で順位づけられた優先度に応じて複数台の電力消費機器を所定時間毎に順次、発停あるいは能力制御するものである。
【０００８】
この構成によって、電力消費機器の電力を計測する高額な発信装置付電力量計を必要とせず、このため発信装置付電力量計から遠隔制御装置までの信号線とこれに伴う工事を不要とすることができる。
【０００９】
【発明の実施の形態】
以下、本発明の実施の形態について図面を参照しながら説明する。
【００１０】
（実施の形態１）
図１は、本発明の実施の形態１における遠隔制御装置１のブロック図である。同図において、遠隔制御装置１は、前記電力入力手段４、前記目標電力入力手段５、前記優先度入力手段６、前記消費電力演算手段７、前記電力調整手段８から構成されている。
【００１１】
電力入力手段４は、複数台の電力消費機器２Ａ、２Ｂ、・・・、２ｎの所定消費電力（例：１０ｋＷ，２０ｋＷ・・・１０ｋＷ）を入力する。目標電力入力手段５は、最大需要電力を削減するために利用可能な目標電力（例：１００ｋＷ）を入力する。消費電力演算手段７は、前記電力消費機器２運転状態に応じた消費電力合計を演算する（例：１１０ｋＷ）。優先度入力手段６は、電力消費機器２の優先度を入力する（例：２Ａ＝優先度高、２Ｂ＝優先度低・・・２ｎ＝優先度中）。電力調整手段８は、運転時の消費電力合計（例：１１０ｋＷ）が目標電力（例：１００ｋＷ）になるように前記優先度入力手段６で設定された優先度順に信号線３を介して複数の前記電力消費機器２へ発停あるいは能力制御信号を送り所定時間毎に順次発停あるいは能力制御を行う。以降この動作を繰り返す。
【００１２】
以上のように構成された遠隔制御装置は、電力入力手段４により入力された複数台の電力消費機器２の消費電力合計を消費電力演算手段７により演算し目標電力入力手段５により入力された目標電力になるように優先度入力手段６で順位づけられた優先度に応じて複数台の電力消費機器２を所定時間毎に順次発停あるいは能力制御するものである。したがって複数台の電力消費機器２の電力を計測する高額な発信装置付電力量計を必要とせず、発信装置付電力量計から遠隔制御装置１までの信号線とこれに伴う工事を不要とすることができる。
【００１３】
尚、前記電力入力手段４、前記目標電力入力手段５、前記優先度入力手段６への入力はパソコンの他、キー入力手段とマウス入力手段とタッチパネル入力手段のいずれかと画面を持つ入力手段を使用しても良い。また、前記電力入力手段４は、電力消費機器２の運転状態に合わせた所定消費電力の複数入力ができるものとする（例：パワー運転時用＝１０ｋＷ、節電運転時用＝５ｋＷ）。
【００１４】
（実施の形態２）
図２は、本発明の実施の形態２における遠隔制御装置のブロック図である。同図において、図１と同じ構成要素については同じ符号を用い説明を省略する。
【００１５】
機器毎目標電力入力手段９は、最大需要電力を削減するために電力消費機器２毎に利用可能な目標電力（例：９ｋＷ）を入力する。機器毎電力調整手段１０は、運転時の消費電力（例：１０ｋＷ）が目標電力（例：９ｋＷ）になるように前記優先度入力手段６で設定された優先度順に信号線３を介して複数の電力消費機器２の該当する機器へ運転停止信号を送り所定時間毎に順次発停あるいは能力制御を行う。遠隔制御装置１は、前記電力入力手段４、前記機器毎目標電力入力手段９、優先度入力手段６、機器毎電力調整手段１０から構成されている。以降この動作を繰り返す。
【００１６】
以上のように構成された遠隔制御装置は、電力入力手段４により入力された複数台の電力消費機器２の消費電力が機器毎目標電力入力手段９により入力された目標電力になるように優先度入力手段６で順位づけられた優先度に応じて機器毎電力調整手段１０により該当する電力消費機器２を所定時間毎に順次発停あるいは能力制御するものである。したがって電力消費機器毎の電力の使用過多を防止でき電力消費機器の延命を図ることができる。
【００１７】
（実施の形態３）
図３は、本発明の実施の形態３における遠隔制御装置のブロック図である。同図において、図１と同じ構成要素については同じ符号を用い説明を省略する。
【００１８】
優先度入力手段１１は、消費電力演算手段７で演算された消費電力合計（１００ｋＷ）と目標電力入力手段５で入力された目標電力（９０ｋＷ）との電力差（１０ｋＷ）に近い消費電力（９ｋＷ）を持つ電力消費機器２を選択し選択された順に電力調整手段８と信号線３を介し所定時間毎に順次電力消費機器２の発停あるいは能力制御をおこなう。
【００１９】
以上のように構成された遠隔制御装置は、複数台の電力消費機器２の消費電力合計を消費電力演算手段７により演算し目標電力入力手段５により入力された目標電力になるように優先度入力手段１１で自動的に順位づけられた優先度に応じて複数台の電力消費機器２を順次運転停止するものである。したがって複数の電力消費機器２の消費電力合計と目標電力との電力差に近い消費電力を持つ電力消費機器２から所定時間毎に順次発停あるいは能力制御することで優先度の設定を自動化できる。
【００２０】
（実施の形態４）
図１は、本発明の実施の形態４における遠隔制御装置のブロック図である。同図において、実施の形態１で説明した部分については同じ符号を用い説明を省略する。
【００２１】
目標電力入力手段５は、最大需要電力を削減するために利用可能な目標電力を期間毎に複数入力する（例：１月〜３月＝８０ｋＷ、４月〜５月＝３０ｋＷ、６月〜９月＝１００ｋＷ、１０月〜１２月＝４０ｋＷ）。
【００２２】
以上のように構成された遠隔制御装置は、電力入力手段４により入力された複数台の電力消費機器２の消費電力合計を消費電力演算手段７により演算し目標電力入力手段５により入力された期間毎の目標電力になるように優先度入力手段６で順位づけられた優先度に応じて複数台の電力消費機器２を所定時間毎に順次発停あるいは能力制御するものである。したがって電力の需要が集中する日中の消費電力をカットでき最大需要電力の削減ができる。
【００２３】
（実施の形態５）
図１は本発明の実施の形態５における遠隔制御装置のブロック図である。同図において、実施の形態１で説明した部分については同じ符号を用い説明を省略する。
【００２４】
目標電力入力手段５は、最大需要電力を削減するために利用可能な目標電力を時間毎に複数入力する（例：９時〜１２時＝１００ｋＷ、１２時〜１５時＝８０ｋＷ、１５時〜１７時＝１００ｋＷ）。
【００２５】
以上のように構成された遠隔制御装置は、電力入力手段４により入力された複数台の電力消費機器２の消費電力合計を消費電力演算手段７により演算し目標電力入力手段５により入力された時間毎の目標電力になるように優先度入力手段６で順位づけられた優先度に応じて複数台の電力消費機器２を所定時間毎に順次発停あるいは能力制御するものである。したがって年間を通じたランニングコストの削減ができる。
【００２６】
（実施の形態６）
図１は、本発明の実施の形態６における遠隔制御装置のブロック図である。同図において、実施の形態１で説明した部分については同じ符号を用い説明を省略する。
【００２７】
目標電力入力手段５は、最大需要電力を削減するために利用可能な目標電力（ＴＷ）を外気温度（Ｔｏ）により自動的に入力される（例：Ｔｏ３０℃＝ＴＷ８０ｋＷ、Ｔｏ３５℃＝ＴＷ１００ｋＷ）。
【００２８】
以上のように構成された遠隔制御装置は、電力入力手段４により入力された複数台の電力消費機器２の消費電力合計を消費電力演算手段７により演算し目標電力入力手段５により入力された外気温度毎の目標電力になるように優先度入力手段６で順位づけられた優先度に応じて複数台の電力消費機器２を所定時間毎に順次発停あるいは能力制御するものである。したがって快適性を下げずに電力削減ができる。
【００２９】
（実施の形態７）
図１は、本発明の実施の形態７における遠隔制御装置のブロック図である。同図において、実施の形態１で説明した部分については同じ符号を用い説明を省略する。
【００３０】
目標電力入力手段５は、最大需要電力を削減するために利用可能な目標電力と目標電力に対する安全率（％）を入力できる（例：安全率＝２０％）。
【００３１】
以上のように構成された遠隔制御装置は、電力入力手段４により入力された複数台の電力消費機器２の消費電力合計を消費電力演算手段７により演算し目標電力入力手段５により入力された目標電力（１００ｋＷ）に安全率（２０％）を乗じた目標電力（８０ｋＷ）になるように優先度入力手段６で順位づけられた優先度に応じて複数台の電力消費機器２を所定時間毎に順次発停あるいは能力制御するものである。したがって急激な電力負荷変動が発生した場合でも最大電力量を超えることなく電力の削減ができる。
【００３２】
（実施の形態８）
図４は、本発明の実施の形態８における遠隔制御装置のブロック図である。同図において、実施の形態１で説明した部分については同じ符号を用い説明を省略する。
【００３３】
料金入力手段６は、複数台の電力消費機器２Ａ、２Ｂ、・・・、２ｎの所定消費料金（例：１０万円，２０万円・・・２０万円）を入力する。目標料金入力手段１７は、最大需要電力を削減するために利用可能な目標料金（例：１００万円）を入力する。消費料金演算手段１８は、前記電力消費機器２の運転状態に応じた消費料金合計を演算する（例：１１０万円）。優先度入力手段６は、電力消費機器２の優先度を入力する（例：２Ａ＝優先度高、２Ｂ＝優先度低・・・２ｎ＝優先度中）。電力料金調整手段１９は、運転時の消費料金合計（例：１１０万円）が目標料金（例：１００万円）になるように前記優先度入力手段０６で設定された優先度順に信号線３を介して複数の前記電力消費機器２へ運転停止信号を送り所定時間毎に順次運転停止を行う。遠隔制御装置１は、前記料金入力手段１６、前記目標料金入力手段１７、前記優先度入力手段６、前記消費料金演算手段１８、前記電力料金調整手段１９から構成されている。
【００３４】
以上のように構成された遠隔制御装置は、料金入力手段１６により入力された複数台の電力消費機器２の消費料金合計を消費料金演算手段１８により演算し目標料金入力手段１７により入力された目標料金になるように優先度入力手段６で順位づけられた優先度に応じて複数台の電力消費機器２を所定時間毎に順次発停あるいは能力制御するものである。したがって目標電力のかわりに目標料金を入力することができるのであらかじめ自由に決定した料金内で電力消費機器を発停あるいは能力制御ができる。このため電力会社が設定した電力料金以外の料金設定を店舗オーナーが設定できるので店舗の管理が効率よくできる。
【００３５】
【発明の効果】
上記から明らかなように、本発明は、複数台の電力消費機器の所定消費電力を入力する電力入力手段と、目標電力を入力する目標電力入力手段と、前記電力消費機器の制御優先度を入力する優先度入力手段と、前記電力入力手段からの出力を基に消費電力の合計を演算する消費電力演算手段を備えた遠隔操作装置であって、前記目標電力入力手段と前記優先度入力手段と消費電力演算手段の出力をもとに運転時の消費電力の合計が目標電力となるように、前記優先度入力手段で設定された優先度にしたがって前記電力消費機器の発停あるいは能力制御を電力調整手段により行うものである。
【００３６】
また、本発明は、電力入力手段と、機器毎目標電力入力手段と、優先度入力手段と、これらの出力をもとに電力消費機器毎の消費電力が各々設定された目標電力となるように、前記優先度入力手段で設定された優先度にしたがって該当する電力消費機器の発停あるいは能力制御を行うものである。
【００３７】
また、本発明は、消費電力の合計が目標電力を超過した場合、前記消費電力の合計と目標電力の差に最も近い電力を消費している機器から優先的に停止するものである。
【００３８】
また、本発明は、目標電力入力手段を所定期間毎に変化させたデータを入力できるものである。
【００３９】
また、本発明は、目標電力入力手段を外気温度に応じて変化させたデータを入力できるものである。
【００４０】
また、本発明は、目標電力入力手段を目標電力と目標電力に対する安全率を入力できるものである。
【００４１】
また、本発明は、料金入力手段と、目標料金入力手段と、優先度入力手段と、前記料金入力手段の入力値を基に消費料金の合計を演算する料金演算手段を備えた遠隔制御装置であって、前記優先度入力手段で設定した優先度にしたがって、運転消費料金の合計が目標料金になるように前記電力消費機器の発停あるいは能力制御を行うものである。
【００４２】
複数台の電力消費機器の電力を計測する高額な発信装置付電力量計を必要とせず、最大需要電力が目標電力になるように設定された優先順に複数台の電力消費機器を所定時間毎に発停あるいは能力制御することができる。また電力消費機器毎に目標電力を設定できることで電力の使用過多を防止でき電力消費機器の延命を図ることができる。また優先順を複数の電力消費機器の消費電力合計と目標電力との電力差に近い消費電力を持つ電力消費機器から順次発停あるいは能力制御することで優先度の設定を自動化できる。また目標電力を所定期間毎に設定できるので年間を通じたランニングコストの削減ができる。また目標電力を所定時間毎に設定できるので電力ピーク前後への電力の平準化ができる。また目標電力を外気温度により設定できるので快適性を下げずに電力削減ができる。また目標電力における安全率を入力できるので急激な電力負荷変動が発生した場合でも最大電力量を超えることなく電力の削減ができる。また目標電力のかわりに目標料金を入力することができるのであらかじめ自由に決定した料金内で電力消費機器を運転停止ができる。このため電力会社が設定した電力料金以外の料金設定を店舗オーナーが設定できるので店舗の管理が効率よくできる。
この構成によれば、発信装置付電力量計から遠隔制御装置までの信号線とこれに伴う工事を不要とすることができ電力の削減を安価に達成することができる。
【図面の簡単な説明】
【図１】本発明の実施の形態１および４〜７におけるブロック図
【図２】本発明の実施の形態２におけるブロック図
【図３】本発明の実施の形態３におけるブロック図
【図４】本発明の実施の形態８におけるブロック図
【図５】従来の遠隔制御装置におけるブロック図
【符号の説明】
１  遠隔制御装置
２  電力消費機器
３  信号線
４  電力入力手段
５  目標電力入力手段
６  優先度入力手段
７  消費電力演算手段
８  電力調整手段
９  機器毎目標電力入力手段
１０  機器毎電力調整手段
１６  料金入力手段
１７  目標料金入力手段
１８  料金演算手段
１９  電気料金演算手段
【図１】
2005020924.tif 000003
【図２】
2005020924.tif 000004
【図３】
2005020924.tif 000005
【図４】
2005020924.tif 000006
【図５】
2005020924.tif 000007